(57)【要約】【課題】予備支持装置によって走行機体の側方側に予備のシートロールを保持できる移植機において、予備支持装置へのシートロールの補給作業をスムーズ且つ容易にできる移植機を提供することを課題としている。【解決手段】走行機体３と、植付作業機６と、前記走行機体３の走行に伴ってシートロール７のシートが圃場面側に繰出されるように該シートロール７を左右方向に向けた姿勢で植付作業機６側に支持する支持装置３１と、予備のシートロール７を前後方向に向けた姿勢で前記走行機体３の側方に支持させることが可能な予備支持装置２１とを備え、操縦部１３には、オペレータが側方から乗降可能な乗降口が形成され、前記予備支持装置２１は側面視で乗降口よりも後方に配置され、前記予備支持装置２１の前方には、前後方向に向けた予備のシートロール７を前後スライド可能に支持する支持具２２が設けられ、該支持具２２は側面視で乗降口よりも前方に配置された。【選択図】図７
2019000052.tif 000002
【特許請求の範囲】
【請求項１】
操縦部（１３）を有する走行機体（３）と、
該走行機体（３）の後部に連結された植付作業機（６）と、
前記走行機体（３）の走行に伴ってシートロール（７）のシートが圃場面側に繰出されるように該シートロール（７）を左右方向に向けた姿勢で植付作業機（６）側に支持する支持装置（３１）と、
予備のシートロール（７）を前後方向に向けた姿勢で前記走行機体（３）の側方に支持させることが可能な予備支持装置（２１）とを備え、
前記操縦部（１３）には、オペレータが側方から乗降可能な乗降口が形成され、
前記予備支持装置（２１）は側面視で乗降口よりも後方に配置され、
前記予備支持装置（２１）の前方には、前後方向に向けた予備のシートロール（７）を前後スライド可能に支持する支持具（２２）が設けられ、
該支持具（２２）は側面視で乗降口よりも前方に配置された
移植機。
【請求項２】
前記支持具（２２）は側面視で前記走行機体（３）の前端よりも後方に配置され、
前記支持具（２２）と、前記走行機体（３）の前端との間の前後方向の距離がシートロール（７）の全長の半分以下になるように、該支持具（２２）が配置された
請求項１に記載の移植機。
【請求項３】
前記支持具（２２）と前記予備支持装置（２１）の前端との間の前後方向の距離がシートロール（７）の全長の半分以下になるように、該支持具（２２）が配置された
請求項２に記載の移植機。
【請求項４】
前記支持具（２２）のシートロール（７）の支持位置が予備支持装置（２１）のシートロール支持位置よりも低い位置になるように、該支持具（２２）が構成された
請求項１乃至３の何れかに記載の移植機。
【発明の詳細な説明】
【技術分野】
【０００１】
本発明は、予備のロールシートを支持できる移植機に関する。
【背景技術】
【０００２】
操縦部を有する走行機体と、該走行機体の後部に連結された植付作業機と、前記走行機体の走行に伴ってシートロールのシートが圃場面側に繰出されるように該シートロールを左右方向に向けた姿勢で植付作業機側に支持する支持装置と、予備のシートロールを前後方向に向けた姿勢で前記走行機体の側方に支持させることが可能な予備支持装置とを備え、前記操縦部には、オペレータが側方から乗降可能な乗降口が形成され、前記予備支持装置は側面視で乗降口よりも後方に配置された特許文献１に記載の移植機が従来公知である。
【先行技術文献】
【特許文献】
【０００３】
【特許文献１】特許第４０２４４１７号公報
【発明の概要】
【発明が解決しようとする課題】
【０００４】
上記文献では、操縦部の乗降口の後方側に配置された前記予備支持装置によって、操縦部への乗降を邪魔することなく、予備の前記シートロールを走行機体の側方側に支持することができるものであるが、前記予備支持装置にシートロールを補給する場合には、作業者はシートロールを保持した状態で圃場内を移動して走行機体の側方側まで持ち運ぶか、或いは、走行機体の側方側を圃場外に向けるように移動する必要があるため、予備のシートロールの補給作業に手間が掛かる場合があるという課題があった。
【０００５】
本発明は、予備支持装置によって走行機体の側方側に予備のシートロールを保持できる移植機において、予備支持装置へのシートロールの補給作業をスムーズ且つ容易にすることのできる移植機を提供することを課題としている。
【課題を解決するための手段】
【０００６】
上記課題を解決するため、本発明は、第１に、操縦部１３を有する走行機体３と、該走行機体３の後部に連結された植付作業機６と、前記走行機体３の走行に伴ってシートロール７のシートが圃場面側に繰出されるように該シートロール７を左右方向に向けた姿勢で植付作業機６側に支持する支持装置３１と、予備のシートロール７を前後方向に向けた姿勢で前記走行機体３の側方に支持させることが可能な予備支持装置２１とを備え、前記操縦部１３には、オペレータが側方から乗降可能な乗降口が形成され、前記予備支持装置２１は側面視で乗降口よりも後方に配置され、前記予備支持装置２１の前方には、前後方向に向けた予備のシートロール７を前後スライド可能に支持する支持具２２が設けられ、該支持具２２は側面視で乗降口よりも前方に配置されたことを特徴としている。
【０００７】
第２に、前記支持具２２は側面視で前記走行機体３の前端よりも後方に配置され、前記支持具２２と、前記走行機体３の前端との間の前後方向の距離がシートロール７の全長の半分以下になるように、該支持具２２が配置されたことを特徴としている。
【０００８】
第３に、前記支持具２２と前記予備支持装置２１の前端との間の前後方向の距離がシートロール７の全長の半分以下になるように、該支持具２２が配置されたことを特徴としている。
【０００９】
第４に、前記支持具２２のシートロール７の支持位置が予備支持装置２１のシートロール支持位置よりも低い位置になるように、該支持具２２が構成されたことを特徴としている。
【発明の効果】
【００１０】
前記乗降口の前方側に、予備のシートロールの下側を前後方向にスライド移動可能に支持する支持具を設けたことにより、作業者は、該支持具を介して走行機体の前側から予備のシートロールを前後方向に向けた姿勢のまま後方にスライド移動させることで、該シートロールを予備支持装置に補給することができるため、作業者が圃場内に入ることなく、走行機体の前側からシートロールの補給作業を完了させることができる。また、該支持具は、乗降口の前方側に配置されるため、作業者による走行機体の乗降りの妨げにもならない。
【００１１】
また、前記支持具は側面視で前記走行機体の前端よりも後方に配置され、前記支持具と、前記走行機体の前端との間の前後方向の距離がシートロールの全長の半分以下になるように、該支持具が配置されたものによれば、作業者が走行機体の前側からシートロールを支持具側に載置する際に、作業者がシートロールの重心側を保持した状態で作業することできるため、シートロールの予備支持装置への補給作業がし易くなる。
【００１２】
また、前記支持具と前記予備支持装置の前端との間の前後方向の距離がシートロールの全長の半分以下になるように、該支持具が配置されたものによれば、作業者がシートロールの一端側を支持具側に乗せてからシートロールを後方にスライド移動させた際に、シートロールの重心位置が支持具を超える前に、シートロールの先端が予備支持装置側に届くため、走行機体の前側から前記予備支持装置へのシートロールの補給作業がより安定する。
【００１３】
なお、前記支持具のシートロールの支持位置が予備支持装置のシートロール支持位置よりも低い位置になるように、該支持具が構成されたものによれば、予備支持装置によって支持されたシートロールを支持装置側に供給する際に、シートロールが支持体側と接触せず、邪魔にならないため、シートロールの供給作業がスムーズになる。
【図面の簡単な説明】
【００１４】
【図１】本発明のマルチ移植機の全体斜視図である。
【図２】本発明のマルチ移植機の全体側面図である。
【図３】スライド支持体を示した要部斜視図である。
【図４】予備ロール保持部を示した要部斜視図である。
【図５】予備ロール保持部に支持されたロール体の補給姿勢を示した図である。
【図６】ロール体を前側ローラ部に載置した状態を示した全体側面図である。
【図７】ロール体を予備ロール保持部までスライドさせた状態を示した全体側面図である。
【図８】ロール体を予備ロール保持部に保持させた状態を示した全体側面図である。
【図９】予備ロール保持部にロール体を補給した状態を示した全体側面図である。
【発明を実施するための形態】
【００１５】
図１及び図２は、本発明のマルチ移植機の全体斜視図及び全体側面図である。本発明のマルチ移植機は、前輪１及び後輪２によって支持された走行機体３と、該走行機体３の後方に昇降リンク４を介して昇降自在に連結されている植付作業機６と、圃場に敷設されるマルチシート（以下、単にシート）をロール状にしたロール体（シートロール）７からシート７ａを繰出して、該シート７ａを圃場面側に敷設するシート敷設機構８とを備えている。
【００１６】
前記走行機体３を支持する機体フレーム９には、前部に搭載されてボンネット１１で囲繞されたエンジン（図示しない）と、該ボンネット１１の左右側方側に支持されて予備苗が載置される予備苗台１２と、該ボンネット１１の後方にオペレータが乗込んで操向操作を行う操縦部１３とが設けられている。
【００１７】
また、該走行機体３は、前記ボンネット１１の左右に配置されたフロントステップ１４と、操縦部１３の左右側方側に配置されたサイドステップ１６，１６と、該サイドステップ１６の後側に一段高くして配置されたリヤステップ１７，１７とが設けられており、該サイドステップ１６の左右外側には、操縦部１３の乗降口となるサイドステップ１６への乗降りに使用される昇降ステップ１８が設けられている。
【００１８】
また、該走行機体３の左右側方側には、予備の前記ロール体７を走行機体３に沿って前後方向に沿わせた状態で保持する予備ロール保持部（予備支持装置）２１と、前記予備ロール保持部２１に向かってロール体７がスライド移動するようにロール体を支持するスライド支持体（支持具）２２とが設けられている。予備ロール保持部２１とスライド支持体２２の詳細な構成については後述する。
【００１９】
前記操縦部１３は、オペレータが着座する座席２３と、該座席２３の前方側に配置されたステアリングハンドル２４と、走行変速操作を行う主変速レバー２６とが設けられている。
【００２０】
前記植付作業機６は、後方下側に向かって延設されてマット苗が載置される苗載せ台２８と、該苗載せ台２８の下端側から苗を掻取って圃場側へ植付けるように回転作動する植付部２９とを備え、油圧シリンダの伸縮作動を介して走行機体３側に昇降可能に連結されている（図２参照）。
【００２１】
前記シート敷設機構８は、前記植付部２９の前方側で前記ロール体７を横架収納するロール収納部（支持装置）３１と、該ロール収納部３１に収容されたロール体７から後方に向かって繰出されるシートをガイドするシートガイド３２と、該シートガイド３２の上方で上下に揺動自在に吊下された２つの円筒体からなるローラフロート３３と、該ローラフロート３３の後方に吊下されたシート鎮圧ローラ３４と、ロール体７から繰出されたシートを切断する切断装置３６とを備えている（図２参照）。
【００２２】
前記ロール収納部３１は、側方側に開閉可能な収納口が設けられるとともに、該収納口から前記ロール体を出し入れ自在に収納して保持する円筒状に形成され、前記植付部２９の前方側に設けられている。
【００２３】
該ロール収納部３１に収納されたロール体７から後方側に繰出されたシート７ａは、前記シートガイド３２上にガイドされるとともに、前記ローラフロート３３及びシート鎮圧ローラ３４によって上側から押さえられるとともに、該ローラによって随時圃場面側へと繰出される。また、該ロール収納部３１内のロール体７側から圃場面側に繰出されたシート７ａは、前記シート鎮圧ローラ３４の後方側に配置された前記切断装置３６に支持されたカッターによって切断される。
【００２４】
上記構成の移植機によれば、植付作業機６を圃場面側に降ろした状態で走行機体３を走行させると、前記ロール収納部３１内のロール体７からシートを順次後方に繰出し、圃場面をシートで被覆することができる。これにより、前記植付作業機６は、植付部２９により苗載せ台６上のマット苗から苗を掻取り、圃場面を覆ったシート７ａの上から植付作業を行うことができる。
【００２５】
次に、図１乃至図５に基づき、前記予備ロール保持部と、スライド支持体の構成について説明する。図３は、スライド支持体を示した要部斜視図であり、図４は、予備ロール保持部を示した要部斜視図であり、図５は、予備ロール保持部に支持されたロール体の補給姿勢を示した図である。
【００２６】
前記予備ロール保持部２１は、ロール体７の上面側を抑えるように湾曲形成された上面支持体４１と、該上面支持体４１の前方側でロール体７の下面側を支持するように湾曲形成された下面支持体４２と、上面支持体４１及び下面支持体４２を支持する支持杆４３と、該支持杆４３の後端側を走行機体３の側方後部側であって前記リヤステップ１７の後方側で水平方向に回動可能に支持する支持部４４と、前記座席２３の後方側に左右一対設けた支持部４４同士を連結して走行機体側に支持する横方向の連結体４６と、前記支持杆４３の回動作動を規制する規制機構５０とを備えている（図１及び図４等参照）。
【００２７】
前記上面支持体４１には、後方に向かって延設されて前記ロール体７の上面側と当接する当接片４７が設けられている（図４参照）。
【００２８】
前記支持杆４３は、その後端側が前記支持部４４によって水平回動可能に支持された棒状（パイプ状）部材であって、支持杆４３が走行機体３に沿った前後方向となるように前方回動された収納姿勢と、支持杆４３の前端側が走行機体の左右外側に向けて回動された補給姿勢とに切換可能に構成されている（図２及び図５参照）。
【００２９】
前記下面支持体４２には、前記支持杆４３を支持部４４回りに回動作動させる際に作業者が把持する操作ハンドル４８が設けられている（図４参照）。このとき、該下面支持体４２は、支持杆４３の回動軸から離れた前端側に配置されているため、操作ハンドル４８による支持杆４３の回動作動をスムーズに行うことができる。
【００３０】
前記規制機構５０は、下面支持体４２と上面支持体４１との間の前方寄りに配置されて左右外側の下側に向けて設けられた支持片５１と、該支持片５１側に上下揺動可能に軸支されて二股状に形成された板状の揺動片５２と、該揺動片５２を揺動操作する操作レバー５３と、該揺動片５２を一方側に付勢する引張スプリング５４とが、前記支持杆４３側に設けられ、前記揺動片５２に係止される規制片５６が前記機体フレーム９側に取付けられて構成されている（図４参照）。
【００３１】
該規制片５６は、前記サイドステップ１６とリヤステップ１７との間に取付支持されて逆Ｕ字状に形成された支持フレーム５７と、前後方向に延設された板状部材であってその前後端が支持フレーム５７側に支持された支持プレート５８とを介して、走行機体３（機体フレーム９）側に取付支持されている。
【００３２】
これにより、前記予備ロール保持部２１は、前記支持杆４３を収納姿勢にした状態で、前記揺動片５２を規制片５６に係止させることにより、収納姿勢から支持杆４３が回動作動することを規制することができる。また、前記揺動レバー５３の揺動操作によって揺動片５２と規制片５６との係止を解除することによって、前記支持杆４３が水平回動可能な状態となる。
【００３３】
上述の構成によれば、前記予備ロール保持部２１は、前記ロール体７の後部側を上下で挟むようにして保持できる。具体的に説明すると、前記予備ロール保持部２１は、前記下面支持体４２によって前記ロール体７の重心の後方側を下支えするとともに、該下面支持体４２を軸に上方回動するロール体７の後端上面側を、前記上面支持体４１によって抑えることによって予備のロール体７を保持することができる。
【００３４】
また、該予備ロール保持部２１は、前記規制機構５０によって、予備のロール体７を走行機体３に沿わせた収納姿勢で保持することができるため、予備のロール体７を安定して走行機体３の側方側で保持することができる。さらに、前記揺動レバー５３によって、規制機構５０による収納姿勢でのロック状態を解除するとともに、前記操作ハンドル４８によって、予備ロール保持部２１で保持されたロール体７を前記ロール収納体３１に沿うように走行機体３と直角方向に回動作動させた補給姿勢に姿勢切換えることができる。該構成により、ロール体７の前記ロール収納体３１への補給作業をよりスムーズ且つ容易に行うことができる（図５参照）。
【００３５】
前記スライド支持体２２は、側面視で走行機体３の昇降ステップ１８の前側に配置された前側ローラ部２２Ａと、側面視で走行機体３の昇降ステップ１８の後側に配置された後側ローラ部２２Ｂとを備え、前後に配置された各ローラ部２２Ａ，２２Ｂは、左右一対のローラ６３，６７が軸支されることによって、ロール体７を前後方向（特に後方）にスムーズにスライド移動させることができるように構成されている（図１乃至図４参照）。
【００３６】
前記前側ローラ部２２Ａは、前記フロントステップ１４の側方側で予備苗台１２を機体フレーム９側に支持する門状に形成された支持ステー６１と、該支持ステー６１の後部側に取付固定されて走行機体３の左右外側に向かって延設された前側支持フレーム６２と、該前側支持フレーム６２の端部側から上方に向けて延設され前側軸支体６４と、該前側軸支体の上端側に軸支された左右一対の前記ローラ６３，６３とを備えている。
【００３７】
このとき、該前側ローラ部２２Ａは、前記予備ロール保持部２１の前方（正面）側に配置されるとともに、その上下位置が、前記予備ロール保持部２１（下面支持体４２）の下端側より下方側に配置されるように構成されている（図３参照）。
【００３８】
また、該前側ローラ部２２Ａは、その前後位置が、側面視で走行機体３（機体フレーム９）の前端側と操縦部１３の乗降口となる前記昇降ステップ１８との間に配置されるとともに、該前側ローラ部２２Ａ（のローラ６３）と走行機体３の前端側との間の距離が、補給されるロール体７の全長方向の長さの半分よりも短くなるように構成されている。
【００３９】
さらに、該前側ローラ部２２Ａの前後位置は、側面視で前側ローラ部２２Ａと、予備ロール保持部２１の前端（下面支持体４２）との間の距離が、補給されるロール体７の全長方向の長さの半分よりも短くなるように構成されている。
【００４０】
ちなみに、前記支持ステー６１には、前記予備苗台１２と、前側ローラ部２２Ａの他に、支持フレーム６２よりも左右外側に延設されて取付けられて、隣接する条列に沿って走行する際の目印となるマーカー６５が設けられている。
【００４１】
前記後側ローラ部２２Ｂは、前記下面支持体４２の支持面近傍から後方に向かって延設された棒状の後側軸支体６６と、該後側軸支体の後端側に軸支された左右一対のローラ６７，６７とを備え（図４参照）、該後側ローラ部２２Ｂは、下面支持体４２と上面支持体４１との間における前寄りに配置されている。
【００４２】
なお、前後のローラ部２２Ａ，２２Ｂに設けられる左右一対のローラ６３，６７は、ロール体７をスムーズにスライドさせることのできる構成であれば良く、該ローラの形状は、円筒状や鼓型の他、円錐状の部材を左右で向き合わせて配置したものであっても良い。
【００４３】
次に、図２及び、図６乃至図９に基づき、スライド支持体を用いた予備ロール保持部へのロール体の補給作業について説明する。図６は、ロール体を前側ローラ部に載置した状態を示した全体側面図であり、図７は、ロール体を予備ロール保持部までスライドさせた状態を示した全体側面図であり、図８は、ロール体を予備ロール保持部に保持させた状態を示した全体側面図であり、図９は、予備ロール保持部にロール体を補給した状態を示した全体側面図である。
【００４４】
まず、図６に示されるように、走行機体３の前側から前記予備ロール保持部２１に供給されるロール体７は、作業者によって持ち運ばれるロール体７の後端側が、前記前側ローラ部２２Ａ上に載置される。
【００４５】
このとき、前記前側ローラ部２２Ａと、走行機体３の前端側との間の距離が、ロール体７の全長の半分よりも短くなるように構成されたことにより、作業者は、ロール体７の重心位置を保持した状態で、ロール体７の後端側を前側ローラ部２２Ａ側に載置することができるため、ロール体７の供給作業をよりスムーズにすることができる。
【００４６】
次に、走行機体３の前側にいる作業者は、前側ローラ部２２Ａに載置された前記ロール体７を、後方斜め上方に向かって押すことによって、ロール体７の後端が予備ローラ保持部２１の下面支持体４２（及び後側ローラ部２２Ｂ）に載置される位置まで後側へスライド移動させることができる（図７参照）。
【００４７】
このとき、前記前側ローラ部２２Ａと、予備ロール保持部２１の前端側（下面支持体４２）との間の距離が、ロール体７の全長の半分よりも短くなるように構成されたことにより、作業者は、走行機体３の前側からロール体７を後方斜め上方に向けて押した際に、ロール体７の重心が前側ローラ部２２Ａを超える前に、ロール体７の後端側が下面支持体４２に支持される。これにより、ロール体７のスライド移動中にロール体７のバランスが大きく崩れることがないため、ロール体７の押し作業をスムーズにすることができる。
【００４８】
次に、走行機体３の前側にいる作業者は、ロール体７の後端側が前記後側ローラ部２２Ｂ上に載置された状態で、ロール体７の前端側が、ロール体７の後端、言い換えると、後側ローラ部２２Ｂの高さ位置よりも上方側となる位置まで持ち上げる（図８参照）。
【００４９】
その後、作業者は、ロール体７の前端側を持ち上げた状態で、ロール体７をさらに後方斜め下方に向かって押すことによって、ロール体７の後端側が、前記上面支持体４１よりも後方側となる最後端位置までスライド移動させることができる。
【００５０】
このとき、前端側が後側ローラ部２２Ｂ上に載置された該ロール体７は、自身の自重によってスムーズ且つ容易に後方に向かってスライド移動される。
【００５１】
以上より、前記スライド支持体２１によれば、作業者は、走行機体３の前方側にいる状態で、前記予備ロール保持部２１側へのロール体７の補給作業をスムーズに行うことができる。そのため、作業者がロール体７を保持したまま圃場内を歩いて持ち運んだり、ロール体７の補充のために走行機体の側方側を圃場外に向けたりする必要もなくなる。
【００５２】
また、該スライド支持体２１の前側ローラ部２２Ａは、その上下位置が、予備ローラ支持部２１よりも下方側に配置されたことにより、予備ローラ保持部２１によって保持される予備のロール体７を、前記収納位置から補給位置へ回動作動させる際に、ロール体７の前端側が前側ローラ部２２Ａに接触する事態を確実に防止できるため、ロール体７の回動をスムーズに行うことができる。
【符号の説明】
【００５３】
３    走行機体
６    植付作業機
７    ロール体（シートロール）
１３    操縦部
２１    予備ロール保持部（予備支持装置）
２２Ａ  前側ローラ部（支持具）
３１    ロール収納部（支持装置）
【図１】
2019000052.tif 000003
【図２】
2019000052.tif 000004
【図３】
2019000052.tif 000005
【図４】
2019000052.tif 000006
【図５】
2019000052.tif 000007
【図６】
2019000052.tif 000008
【図７】
2019000052.tif 000009
【図８】
2019000052.tif 000010
【図９】
2019000052.tif 000011